(57)【要約】【課題】検出部の能動・非能動や警報発報の設定・非設定の切り換えなどを行えるとともに脱落警報や設定異常警報を発報できるナースコールシステムを提供する。【解決手段】子機接続部を備えるプレート子機、ナースコール親機、制御機を有するナースコールシステムであって、プレート子機は子機接続部にベッド子機が接続されているか否かを検出する検出部と検出部の動作が能動又は非能動に切換えられ、検出部の動作が能動で保持されているとき子機接続部にベッド子機が接続されていないことを警報発報させるか否か設定する子機設定部と子機設定部による発報設定時において検出部の検出が非接続状態であったときに脱落・断線警報発報を行う機能と子機設定部による発報非設定時において検出部の検出が接続状態であったときに設定異常警報発報を行う機能とを有する子機ＣＰＵとを備えている。【選択図】図１
2014127912.tif 000002
【特許請求の範囲】
【請求項１】
医療・看護施設内の複数の部屋の病床毎に設置され被看護人が医療・看護従事者を呼び出すためのベッド子機を接続する子機接続部を少なくとも１つ備えるプレート子機と、スタッフステーション等の施設内共用部に設置され前記ベッド子機を用いた被看護人からの呼出しに医療・看護従事者が応答して通話を成立させるナースコール親機と、前記プレート子機及び前記ナースコール親機を制御する制御機とを有するナースコールシステムであって、
前記プレート子機は、前記子機接続部に前記ベッド子機が接続されているか否かを検出する検出部と、前記検出部の動作が能動又は非能動に切換えられ、前記検出部の動作が能動で保持されているとき前記子機接続部に前記ベッド子機が接続されていないことを警報発報させるか否か設定する子機設定部と、前記子機設定部による発報設定時において前記検出部の検出結果が非接続状態であったときに脱落・断線警報発報を行う機能と前記子機設定部による発報非設定時において前記検出部の検出結果が接続状態であったときに設定異常警報発報を行う機能とを有する子機ＣＰＵとを備えることを特徴とするナースコールシステム。
【請求項２】
前記プレート子機は、前記設定異常警報を前記ナースコール親機に移報するか否かを設定する移報設定部を備え、
前記子機ＣＰＵは、前記子機設定部による移報設定時において前記設定異常警報発報を前記ナースコール親機に移報し、前記子機設定部による移報非設定時において前記設定異常警報報知を自子機で行うことを特徴とする請求項１記載のナースコールシステム。
【請求項３】
前記プレート子機は、前記設定異常警報を前記ナースコール親機に移報するか否かを設定する移報設定部を備え、
前記子機ＣＰＵは、前記子機設定部による移報設定時において前記設定異常警報を自子機で一定時間行った後、前記一定時間経過後のタイミングで前記設定異常警報発報を前記ナースコール親機に移報することを特徴とする請求項１記載のナースコールシステム。
【発明の詳細な説明】
【技術分野】
【０００１】
本発明は、ナースコールシステムに係り、特に病床毎に設置され被看護人とナースコール親機との間で信号を送受するための呼出握りボタンやハンド型子機、あるいは無線による呼出送受信器（以下、ベッド子機と称する）などのプレート子機（ナースコール子機と同意）からの脱落や子機ラインの断線を警報発報できるナースコールシステムに関する。
【背景技術】
【０００２】
従来からナースコールシステムではプレート子機の子機接続部からのベッド子機の脱落や子機ラインの断線を検出して警報発報するシステムが用いられている。このようなシステムでは、プレート子機の接続部からベッド子機が脱落するとプレート子機のＣＰＵが脱落信号を生成して廊下灯やナースコール親機に送信し、警報発報を行うものである。
【０００３】
また、子機ラインが断線した場合やプレート子機が故障した場合などには通信が停止するが、一定時間以上通信が停止した場合にも脱落信号が送信され、警報発報が行われるようになっている（例えば、特許文献１参照）。
【０００４】
このような従来のナースコールシステムでは通常脱落・断線通報停止スイッチが設けられており、ベッド子機の脱落や子機ラインの断線などによる警報発報が行われた場合にはこの脱落・断線通報停止スイッチを押下することにより発報状態を解除するようにしている。
【０００５】
このようにしてベッド子機の脱落や子機ラインの断線などによる警報発報が行われた場合に脱落・断線通報停止スイッチを押下すると警報発報がいつまでも鳴動し続ける状態を解除することができ、直ちにベッド子機の脱落か子機ラインの断線かなどの原因を調べることができる。
【先行技術文献】
【特許文献】
【０００６】
【特許文献１】特開２００７−２０２７１２号公報
【発明の概要】
【発明が解決しようとする課題】
【０００７】
上記のように、従来のナースコールシステムではプレート子機の接続部からのベッド子機の脱落や子機ラインの断線を検出して警報発報し、警報発報後に脱落・断線通報停止スイッチを押下することにより発報状態を解除するようになっていたが、脱落・断線通報停止スイッチを押下した状態のまま（即ちスイッチをオンの状態のまま）にし、スイッチの押下を解除しない状態（即ちスイッチをオフ＝リセット状態）にすることを失念した場合には、次にベッド子機の脱落や子機ラインの断線が生じた場合にその検出ができないという問題があった。
【０００８】
また、ベッド子機の故障や取り替えなどの際には長時間ベッド子機の脱落状態が継続されるが、その場合警報発報が鳴動しないように脱落・断線通報停止スイッチを押下した状態のままにしておく。しかしベッド子機の修理や取り替えが終了した後に脱落・断線通報停止スイッチをリセット状態に戻すことをし忘れると、その後にベッド子機の脱落や子機ラインの断線が生じた場合にその検出ができないという問題もあった。
【０００９】
本発明は上記の課題を解決するためになされたもので、脱落・断線の検出部の能動・非能動や警報発報の設定・非設定の切り換えなどを行うことを可能とすることにより従来のシステムが有していた不都合を解消できるナースコールシステムを提供できるようにしたものである。
【課題を解決するための手段】
【００１０】
本発明によるナースコールシステムの第１の態様によれば、医療・看護施設内の複数の部屋の病床毎に設置され被看護人が医療・看護従事者を呼び出すためのベッド子機を接続する子機接続部を少なくとも１つ備えるプレート子機と、スタッフステーション等の施設内共用部に設置されベッド子機を用いた被看護人からの呼出しに医療・看護従事者が応答して通話を成立させるナースコール親機と、プレート子機及びナースコール親機を制御する制御機とを有するナースコールシステムであって、プレート子機は、子機接続部にベッド子機が接続されているか否かを検出する検出部と、検出部の動作が能動又は非能動に切換えられ、検出部の動作が能動で保持されているとき子機接続部にベッド子機が接続されていないことを警報発報させるか否か設定する子機設定部と、子機設定部による発報設定時において検出部の検出結果が非接続状態であったときに脱落・断線警報発報を行う機能と子機設定部による発報非設定時において検出部の検出結果が接続状態であったときに設定異常警報発報を行う機能とを有する子機ＣＰＵとを備えることを特徴とする。
【００１１】
また、本発明によるナースコールシステムの第２の態様によれば、第１の態様において、プレート子機は、設定異常警報をナースコール親機に移報するか否かを設定する移報設定部を備え、子機ＣＰＵは、子機設定部による移報設定時において設定異常警報発報をナースコール親機に移報し、子機設定部による移報非設定時において設定異常警報報知を自子機で行うことを特徴とする。
【００１２】
さらに、本発明によるナースコールシステムの第３の態様によれば、第１の態様において、プレート子機は、設定異常警報をナースコール親機に移報するか否かを設定する移報設定部を備え、子機ＣＰＵは、子機設定部による移報設定時において設定異常警報を自子機で一定時間行った後、一定時間経過後のタイミングで設定異常警報発報をナースコール親機に移報することを特徴とする。
【発明の効果】
【００１３】
このように構成された本発明のナースコールシステムにおいては、第１の態様によれば、ベッド子機が接続されているか否かの検出部を能動と非能動に切り換えることができるので、例えばベッド子機の取り替え作業などの際に非能動にしておけば警報の誤発報を生じさせることがなく、また警報発報させるか否かを設定する子機設定部が発報非設定状態の時にベッド子機が接続された場合には設定異常警報発報を行うことにより子機設定部の発報設定状態を促すことができる。
【００１４】
また、第２の態様によれば、設定異常警報をナースコール親機に移報させるか否かを選択することができるので、病室などの現場毎のカスタマイズ性が向上する。
【００１５】
さらに、第３の態様によれば、設定異常警報をプレート子機で発報後、一定時間修正されない場合にナースコール親機で発報させるので、ナースコール親機での無駄な発報を抑止することができる。
【図面の簡単な説明】
【００１６】
【図１】本発明のナースコールシステムの構成を示すシステム説明図である。
【図２】本発明のナースコールシステムのプレート子機のブロック図である。
【図３】本発明のナースコールシステムのナースコール親機の表示例である。
【発明を実施するための形態】
【００１７】
以下、本発明によるナースコールシステムを適用した好ましい実施の形態について図面を参照して説明する。
【００１８】
図１は、本発明の実施例によるナースコールシステムの全体構成を示すシステム説明図である。図１（ａ）において、このナースコールシステム１は、病院等の医療・看護施設内に設置されるものであり、プレート子機２、ベッド子機３、廊下灯４、ナースコール親機５及び制御機６を有している。プレート子機２にはベッド子機３を接続する子機接続部２１が設けられている。
【００１９】
ここで、プレート子機２は、子機ラインＬ１を経由して廊下灯４に接続されており、ここではそれぞれ個別配線で接続されている。また、制御機６には、廊下灯ラインＬ２を経由して廊下灯４が接続されており、ここでは一例として渡り配線で接続されているとともに、親機ラインＬ３を経由してナースコール親機５が接続されている。
【００２０】
なお、プレート子機２及び廊下灯４間の接続は、図示のような個別配線の接続に限定されるものではなく、例えば、複数台の当該プレート子機２を順次に廊下灯４に接続する渡り配線の態様も適用できる。また、廊下灯４及び制御機６間の接続についても、図示のような渡り配線の接続に限定されるものではなく、例えば、バス接続の態様も適用できる。
【００２１】
プレート子機２は、それぞれ同様な構成で個別の子機ＩＤを有しており、病院等の医療・介護施設における例えば、３０１号室、３０２号室、・・・・のような複数の部屋内の各病床の被看護人が、例えば、ナースコール親機５が設置されるスタッフステーション等の施設内共用部に在室中の看護人に対し、通常呼出し、トイレ・風呂介助等を求める緊急呼出し、点滴の終了を知らせる確認呼出し等、ナースコール呼出しの呼出種別毎に異なる所定の呼出操作を行うベッド子機３が接続されるとともに、この被看護人が看護人との間で音声を送受信して通話を成立させるものである。ここで、プレート子機２は、部屋内の病床数に対応させて複数台、任意に設けることができる。
【００２２】
プレート子機２に設けられているベッド子機３を接続する子機接続部２１は複数設けられていてもよい。子機接続部２１が複数設けられている場合、例えば子機接続部２１が２個の場合、呼出握りボタンやハンド型子機、あるいは無線による呼出送受信器などのうちの２つの種類のベッド子機３を接続することができ、被看護人の病状や室内での状況によりこれらのベッド子機３のうちのどれを使用するかの適宜な選択を行うことができる。
【００２３】
廊下灯４は、それぞれ同様な構成で個別の廊下灯ＩＤを有しており、前述のような各部屋の出入口近傍である廊下先に設置されるものであって、ベッド子機３を用いた被看護人からのナースコール呼出を、通常呼出、トイレ・風呂介助等を求める緊急呼出、点滴の終了を知らせる確認呼出等、呼出種別毎に異なるパターンで報知するものである。
【００２４】
ナースコール親機５は、前述のようなスタッフステーション等の施設内共用部に設置され、ベッド子機３を用いた被看護人からのナースコール呼出しを、通常呼出し、トイレ・風呂介助等を求める緊急呼出し、点滴の終了を知らせる確認呼出し等、呼出種別毎に異なるパターンで報知するとともに、これを確認した看護人が被看護人との間で音声を送受信して通話を成立させるものである。
【００２５】
なお、ナースコール親機５には、通常、プレート子機２を個別呼出し又は一斉呼出しする機能が備えられている。また、ナースコール親機５の構成態様としては、図１（ａ）のような電子情報出力型の当該親機に限定されず、例えば、図１（ｂ）に示すようなＰＣ（パーソナル・コンピュータ）型やボード型の当該親機５ａも適用できる。
【００２６】
制御機６は、前述のような施設内共用部に設置されており、廊下灯ラインＬ２を経由して廊下灯４、４、・・・、親機ラインＬ３を経由してナースコール親機５をそれぞれ接続する中継器として、これら接続された機器を制御するものである。制御機６は被看護人の病室、氏名、診療科目、救護区分等の被看護人に係る各種情報テーブルや子機ＩＤや廊下灯ＩＤ、ベッド子機の種類、ベッド子機の脱落・断線状況等を記憶する記憶部６１を有している。記憶部６１はナースコール親機５内に親機記憶部として設けてもよい。
【００２７】
なお、本発明のナースコールシステムでは、施設内を移動中の看護人が携帯端末７を携行して携帯電話網や無線ＬＡＮ等の図示しない無線ネットワークにより被看護人との間で音声を送受信して通話を成立させることもできる。
【００２８】
次に、プレート子機２の具体的な構成について、図２のブロック図を参照して説明する。同図に示すプレート子機２には、ベッド子機３が接続される子機接続部２１、ベッド子機３の脱落や断線を検出する検出部２２、ベッド子機３の脱落や断線があった時に警報を発報するか否かを設定する子機設定部２３、脱落・断線時にナースコール親機５及び携帯端末７に警報を転送するか否かを設定する移報設定部２４、プレート子機２で警報が鳴動している時に警報音を停止する子機停止操作部２５、プレート子機２内の各種動作を制御する子機ＣＰＵ２６、ベッド子機３の脱落や断線があった時の状態などを表示する表示灯２７及び廊下灯４との間で信号伝送路を形成する子機インターフェース（Ｉ／Ｆ）２８が備えられている。検出部２２はベッド子機３の脱落や配線の断線を検出可能とする能動状態と検出機能を停止する非能動状態に切り換えることができる。なお、廊下灯４、ナースコール親機５、制御機６などについては従来と変わるところがないため詳細な説明を省略する。
【００２９】
このような構成を有するプレート子機２を含む本発明のナースコールシステムにおける動作について以下に説明する。
【００３０】
まず、通常の動作では待ち受け状態において、ベッド子機３がプレート子機２の子機接続部２１に接続されていると、検出部２２において接続信号が送信されているのでプレート子機２の子機ＣＰＵ２６はベッド子機３が接続されていることを認識する。
【００３１】
このような状態で被看護人が看護人を呼び出したい場合、被看護人はベッド子機３を操作して、例えばベッド子機３の呼出ボタンを押下する。呼出ボタンを押下することにより呼出信号が送信されると、プレート子機２の子機ＣＰＵ２６は呼出信号を受信して廊下灯４を介して制御機６に呼出信号を転送する。
【００３２】
制御機６が呼出信号を受信すると制御機６はナースコール親機５及び携帯端末７に呼出信号を送信するのでナースコール親機５及び携帯端末７の表示部にナースコール呼出情報が表示されるとともにスピーカ等の音声報知部から呼出情報が報音され、看護人が被看護人からの呼出を認知する。
【００３３】
次に上記のような通常の動作に対してベッド子機３の脱落や断線がある場合について説明する。前述したようにプレート子機２にはベッド子機３の脱落や断線があった時に警報を発報するか否かを設定する脱落設定スイッチ（ＳＷ）を含む子機設定部２３、脱落・断線時にナースコール親機５及び携帯端末７に警報を転送するか否かを設定する移報設定ＳＷを含む移報設定部２４、プレート子機２で警報が鳴動している時に警報音を停止する警報音停止ＳＷを含む子機停止操作部２５が備えられている。
【００３４】
また、ナースコール親機５には、従来通りの親機スピーカ５１、親機表示部５２の他にナースコール親機５において警報が鳴動している時に警報音を停止する警報音停止ＳＷを含む親機停止操作部５３が備えられている。
【００３５】
ここで、脱落設定ＳＷと移報設定ＳＷはスライドスイッチ、ロック式プッシュスイッチ等の操作状態を維持するスイッチであり、警報音停止ＳＷはノンロック式プッシュスイッチ等の操作状態を維持しないスイッチである。
【００３６】
まず待ち受け状態においては、検出部２２が能動に設定されるとともに子機設定部２３の脱落設定ＳＷは発報側に設定され、移報設定部２４の移報設定ＳＷは移報側に設定されている。このような設定状態でベッド子機３がプレート子機２から外れてしまう、又はベッド子機３の配線が断線してしまうような場合には、検出部２２が脱落・断線状態を検出する。
【００３７】
子機設定部２３の脱落設定ＳＷは発報側に設定され、移報設定部２４の移報設定ＳＷは移報側に設定されていることから、子機ＣＰＵ２６は呼出と同様の経路でナースコール親機５にベッド子機３が脱落あるいは配線の断線が生じたことを示す脱落警報を送信するのでナースコール親機５に脱落警報が表示および報音される。この時ナースコール親機５において警報音が鳴動するが親機停止操作部５３の警報音停止ＳＷを押下することにより警報音を停止させることができる。
【００３８】
ナースコール親機５に脱落警報が送信されると、図３に示すように、脱落警報の表示は「脱落・断線」として親機表示部５２の画面上に表示させることができ、特に脱落あるいは断線したベッド子機３については図示のように親機表示部５２の一部に拡大表示させることができる。なお、親機表示部５２には、例えば図３のようにフロア病床レイアウトを表示させることができ、脱落警報の他、被看護人の病室、氏名、診療科目、救護区分等の被看護人に係る各種情報等を併せて表示させることができる。
【００３９】
ところで、ベッド子機３が故障したり新しい機器と交換したりする際に代替機がないなどの理由で長期間（数時間〜数日間）ベッド子機３を取り外さなければならない場合がある。このような時にはプレート子機２の子機設定部２３の脱落設定ＳＷを非発報側に設定すれば検出部２２がベッド子機３の脱落を検出した場合でも脱落警報を発報したりナースコール親機５に脱落警報を送信したりすることがない。このように子機設定部２３において発報非設定時にベッド子機３がプレート子機２に接続されていなくても不要な警報音が鳴動し続ける煩わしさを防止することができる。
【００４０】
なお、上記の説明においては検出部２２が能動の状態における動作を説明している。検出部２２が能動の状態においては、ベッド子機３が接続されているか接続されていないかを検出できるが、検出部２２は能動の状態から切り換えて非能動の状態に設定する機能を有することもできる。検出部２２を非能動の状態に設定した場合にはベッド子機３の故障や交換の際に長期間ベッド子機３を接続しない場合でも検出部２２は作動していないために脱落警報が発報されることはない。
【００４１】
検出部２２が能動の状態で子機設定部２３の脱落設定ＳＷが非発報側に設定されている時にベッド子機３が再び子機接続部２１に接続されると、ベッド子機３が接続されたことを認識した検出部２２は設定異常警報を発報する。このように脱落設定ＳＷが非発報側に設定されベッド子機３が再び接続されるとプレート子機２において設定異常警報が発報されるので、ベッド子機３の修理や交換が終了した後に脱落設定ＳＷを発報側に設定することを失念したような場合でも脱落設定ＳＷを発報側に再設定することを促されることから、脱落警報の発報が行われない状態が長期間継続するという不都合を防止することができる。
【００４２】
なお、プレート子機２において設定異常警報が発報された場合、プレート子機２の移報設定部２４の移報設定ＳＷが移報設定側に設定されていると子機ＣＰＵ２６により設定異常警報がナースコール親機５に送信される。この時プレート子機２においては警報音が鳴動することなくナースコール親機５のスピーカ５１から設定異常警報が報音されるとともに親機表示部５２において設定異常のあったベッド子機３における被看護人の情報を付加して設定異常があった旨を表示する。この時には図３で示した脱落警報の表示と同様に「設定異常」として親機表示部５２の一部に拡大表示させることができる。なお、被看護人の表示としては、図３の脱落警報の表示と同様に設定異常警報の他、病室、氏名、診療科目、救護区分等の被看護人に係る各種情報等を併せて表示させることができる。
【００４３】
ナースコール親機５で警報音が鳴動した場合に、看護人等は停止操作部５３の警報音停止ＳＷを押下して鳴動を停止する。その後設定異常警報が発報された当該病室に行き設定異常警報の原因を解除する。
【００４４】
一方、プレート子機２の移報設定部２４の移報設定ＳＷが移報非設定側に設定されている場合には、子機ＣＰＵ２６により設定異常警報はナースコール親機５に送信されずプレート子機２においてのみ報知される。この時警報音の鳴動は子機停止操作部２５の警報音停止ＳＷを押下することにより停止させることができる。
【００４５】
また、プレート子機２の移報設定部２４の移報設定ＳＷが移報設定側に設定されている場合において、子機ＣＰＵ２６はまずプレート子機２で設定異常警報を発報し、予め定めた時間経過後にナースコール親機５へ設定異常警報を送信することもできる。このようにすると、プレート子機２で設定異常警報が発報された場合に、予め定めた時間中はプレート子機２における設定異常を検知した看護人等が子機停止操作部２５の警報音停止ＳＷを押下して鳴動を停止するとともに子機設定部２３の脱落設定ＳＷを発報側に再設定すれば設定異常警報が解除でき、設定異常警報が発報されたら直ちにナースコール親機５へ設定異常警報が移報されることによるナースコール親機での無駄な発報を抑止することができる。
【００４６】
もしプレート子機２側において設定異常警報を解除できない場合には、子機ＣＰＵ２６は予め定めた時間を経過した後に自動的にナースコール親機５へ設定異常警報を送信する。このようにするとナースコール親機５側でも設定異常を検知することができ、プレート子機２において設定異常を解除することができる。予め定めた時間を経過した後にナースコール親機５へ設定異常警報が送信されるとプレート子機２で鳴動していた警報音は停止される。
【００４７】
なお、警報音停止ＳＷは前述したように操作状態を維持しないノンロック式プッシュスイッチであるため、警報音停止ＳＷで一旦設定異常警報音の鳴動を停止した後、再び警報音を鳴動させる条件、例えば検出部２２の検出結果が接続状態から非接続状態に移行され、再び接続状態になるような条件を満たした場合にはナースコール親機５又はプレート子機２において警報音を鳴動させることができる。従って、失念などによる設定ミスの通報漏れを防止することができる。
【００４８】
なお、本実施の形態ではベッド子機３の脱落警報や設定異常警報はナースコール親機５の親機表示部５２及びスピーカ５１から画面表示あるいは音声にて発報することができるとして説明したが、同様に廊下灯４においても廊下灯表示部及び廊下灯スピーカからベッド子機３の脱落や設定異常を警報発報することを妨げるものではない。
【産業上の利用可能性】
【００４９】
本発明のナースコールシステムは、図１に示すように、従来技術と同様に看護人が携帯端末７を携行し、基地局（不図示）との間で無線によりプレート子機２と通話できるようにすることも可能であり、さらに携帯端末７へ脱落警報や設定異常警報を発報することができる。
【００５０】
また、本発明のナースコールシステムにおいては、ナースコール親機、制御機、廊下灯の配線を渡り配線で説明しているが、ナースコール親機、制御機、廊下灯などを個別にＬＡＮ配線に接続するようにしてもよく、ＬＡＮ配線には被看護人の病歴などのデータを格納するサーバやオーダリングサーバなどを接続することもできる。
【符号の説明】
【００５１】
１・・・ナースコールシステム
２・・・プレート子機
２１・・・子機接続部
２２・・・検出部
２３・・・子機設定部
２４・・・移報設定部
２５・・・子機停止操作部
２６・・・子機ＣＰＵ
２７・・・表示灯
２８・・・子機ＩＦ
３・・・ベッド子機
４・・・廊下灯
５・・・ナースコール親機
５１・・・スピーカ
５２・・・親機表示部
５３・・・親機停止操作部
６・・・制御機
７・・・携帯端末
【図１】
2014127912.tif 000003
【図２】
2014127912.tif 000004
【図３】
2014127912.tif 000005